(57)【要約】抄紙及び類似の工業において使用される種類の工業用布は、織構造を形成するため、互いに織合わされる機械方向の（ＭＤ）糸と機械に直交する方向の（ＣＤ）糸を有している。該工業用布は、少なくともＭＤ及び／又はＣＤ糸の一部でも、鞘によって取囲まれた芯糸を持つ鞘／芯糸を含んでいる。芯糸と鞘は色によるなどして、互いに肉眼で可視的に識別可能であり、従って該工業用布の表面の摩耗を鞘が芯糸からすり減らされた時に明白になる目に見える変化によってその布の運転寿命の期間中肉眼で監視することが出来る。
2005530050.tif 000002
【特許請求の範囲】
【請求項１】
抄紙とそれに関連する工業で、及び布が或種の材料を脱水するのに使用されるその他の工業で使用される種類の工業用布において、前記工業用布が機械方向（ＭＤ）と機械に直交する方向（ＣＤ）の糸より成っていて、そこで前記ＭＤ糸と前記ＣＤ糸の一方の少なくとも一部が鞘／芯糸であり、前記鞘／芯糸は鞘によって取囲まれた芯糸を有していて、前記芯糸と前記鞘は互いに識別可能になっており、従って前記工業用布の表面上の摩耗をその工業用布の運転寿命の期間中監視することが出来る、上記工業用布。
【請求項２】
前記ＭＤ糸と前記ＣＤ糸の両方の少なくとも一部が鞘／芯糸である、請求項１に記載の工業用布。
【請求項３】
前記ＭＤ糸と前記ＣＤ糸の一方のすべてが鞘／芯糸である、請求項２に記載の工業用布。
【請求項４】
前記ＭＤ糸と前記ＣＤ糸の両方のすべてが鞘／芯糸である、請求項１に記載の工業用布。
【請求項５】
前記芯糸が単繊維、撚られた／ねじれた単繊維、多繊維、撚られた多繊維、より合わされた及び編まれた糸より成っているグループから選ばれる、請求項１に記載の工業用布。
【請求項６】
前記芯糸が重合体樹脂材料から構成される、請求項１に記載の工業用布。
【請求項７】
前記重合体樹脂材料がポリアミド、ポリエステル、ポリエーテルケトン、ポリプロピレン、ポリアラミド、ポリオレフィン及びポリエチレンテレフタレート（ＰＥＴ）樹脂より成っているグループから選ばれる、請求項６に記載の工業用布。
【請求項８】
前記芯糸が円形断面の単繊維糸である、請求項１に記載の工業用布。
【請求項９】
前記芯糸が非円形断面の単繊維糸である、請求項１に記載の工業用布。
【請求項１０】
前記非円形断面が卵形、楕円形、正方形、矩形及び浅裂した断面より成っているグループから選ばれる、請求項９に記載の工業用布。
【請求項１１】
前記鞘が重合体樹脂材料から構成される、請求項１に記載の工業用布。
【請求項１２】
前記重合体樹脂材料がポリアミド、ポリエステル、ポリエーテルケトン、ポリプロピレン、ポリアラミド、ポリオレフィン及びポリエチレンテレフタレート（ＰＥＴ）樹脂より成っているグループから選ばれる、請求項１１に記載の工業用布。
【請求項１３】
前記鞘が前記芯糸上の塗膜である、請求項１に記載の工業用布。
【請求項１４】
前記鞘が前記芯糸の周りに巻付けられた重合体樹脂材料のフィルムから構成される、請求項１に記載の工業用布。
【請求項１５】
前記鞘が前記芯糸の周りに巻付けられた重合体樹脂材料の繊維から構成される、請求項１に記載の工業用布。
【請求項１６】
前記芯糸と前記鞘が同じ重合体樹脂材料から構成される、請求項１に記載の工業用布。
【請求項１７】
前記芯糸と前記鞘が異なった重合体樹脂材料から構成される、請求項１に記載の工業用布。
【請求項１８】
前記芯糸と前記鞘が異なった色である、請求項１に記載の工業用布。
【請求項１９】
前記芯糸が熱又は水分に曝された時に前記鞘の色とは異なった色になる、請求項１に記載の工業用布。
【請求項２０】
前記ＭＤ糸が、前記工業用布を形成するため、前記ＣＤ糸と織合わされる、請求項１に記載の工業用布。
【請求項２１】
前記芯糸がｐＨ指示染料を含んでいる、請求項１９に記載の工業用布。
【請求項２２】
前記芯糸がＵＶ感光染料を含んでいる、請求項１に記載の工業用布。
【請求項２３】
前記鞘が二酸化チタン顔料を含んでいる、請求項１に記載の工業用布。
【発明の詳細な説明】
【技術分野】
【０００１】
本発明は抄紙及びそれに関連する技術に関する。より明確には、本発明は抄紙機の布に関する、即ち形成、プレス及び乾燥機布、紙が抄紙機上で製造される、集合名詞的に抄紙機織物としても知られている。更に、本発明はその他の工業的環境でも応用を見出すかも知れない、そこではパルプの洗滌や濃縮及びスラッジの脱水のような、材料を脱水するのに工業用ベルトが使用される。
【背景技術】
【０００２】
抄紙工程の中で、セルロース性繊維質巻取り紙は抄紙機の形成部における運転中の形成布の上に繊維質スラリー、即ちセルロース繊維の水分散液を沈殿させることにより形成される。多量の水が、形成布の表面上にセルロース性繊維質巻取り紙を残しながら、形成布を通してスラリーから排出される。
【０００３】
新しく形成されたセルロース性繊維質巻取り紙は形成部から一連のプレスニップを含むプレス部に進む。セルロース性繊維質巻取り紙は一つのプレス布により、又は多くの場合二つのプレス布の間に支持されてプレスニップを通過する。プレスニップでは、セルロース性繊維質巻取り紙は、そこから水を絞り出し、且つセルロース性繊維質巻取り紙を紙シートに変えるために、巻取り紙中のセルロース繊維を互いに接着させる圧縮力を受ける。水はプレス布によって受容れられ、且つ理想的には、紙シートには戻らない。
【０００４】
紙シートは最後には蒸気により内部加熱された少なくとも一連の回転可能な乾燥機ドラム又はシリンダーを含む乾燥機部に進む。新しく形成された紙シートはドラムの表面に対して紙シートを密着保持する乾燥機布によりドラムの列の各々の周りを連続して蛇行する通路に案内される。加熱されたドラムは蒸発によって望ましいレベルにまで紙シートの含水量を減少させる。
【０００５】
形成、プレス及び乾燥機布のすべてが抄紙機上でエンドレスループの形態とコンベヤーと同様な機能をとることは認識されるべきである。更に抄紙は可成りの速度で進行する連続工程であることも認識されるべきである。即ち、繊維質スラリーが形成部において形成布の上に連続的に沈殿する一方、新しく製造された紙シートはそれが乾燥機部から出た後ロールの上に連続的に巻取られる。
【発明の開示】
【発明が解決しようとする課題】
【０００６】
抄紙機上でエンドレスループの形でしかるべく運転すると、抄紙機の布、特にそれらの内側表面はすりむく摩耗を受けやすい。この摩耗の多くは抄紙機の固定部品との接触から結果として生じる。結局、斯かる動的接触によって引き起された摩耗により、少なくともある位置において、それがその特殊な適用で抄紙機によって望まれた或品質又は特性が弱められるか又は失われた時点で、布の厚さが減少した時には、多くの布は抄紙機から除かねばならない。
【０００７】
通常、摩耗は厚さゲージを用いて監視される。然し、抄紙機の布の厚さをその縁から一乃至二フィート（３０乃至６０ｃｍ）以上内側の個所を斯かるゲージで測定することは、特に布が抄紙機上を走っている時は、困難である。
【課題を解決するための手段】
【０００８】
明らかに、抄紙機の布上で、そして特にそれの内側と外側表面上の任意の地点で、抄紙機が動作中の時でさえ、摩耗を監視している手段は抄紙機工業において非常に助けとなるであろう。本発明はその業界に斯かる手段を提供する。
【０００９】
従って、本発明は抄紙とそれに関連する工業において、及び布が或種の物質の脱水に使用されるその他の工業において使用される種類の工業用布である。工業用布は機械方向の（ＭＤ）糸と機械に直交する（ＣＤ）糸から成っており、それらは工業用布に織構造を与えるために互いに織合わされる。
【００１０】
ＭＤ糸か又はＣＤ糸の何れかの、又はＭＤとＣＤ糸の両方の、少なくとも一部、又出来ればすべてが鞘／芯糸である。鞘／芯糸は鞘によって取囲まれた芯糸より成っていて、芯糸と鞘は色によるなどして、肉眼によってお互いを視覚的に識別可能である。このことは摩耗が徐々に鞘／芯糸のむき出しの部分、特に表面の節の上で鞘をすり減らして、芯糸を暴露させるから、恐らくそれらの色の違いによって、工業用布の表面上の摩耗をその布の運転寿命の期間視覚的に監視することを可能にする。
【発明の効果】
【００１１】
本発明は、当業者が、それが意図されている機械上を走っている時でさえ、工業用布１０の状態を監視することを可能にしている。更に技術者が布の全幅にわたって摩耗を監視すること、及び摩耗がより激しく又は余所よりもより急速に進行するような特定の領域にある、摩耗のすじを検出することを可能にする。
【発明を実施するための最良の形態】
【００１２】
本発明は今以下に確認された図面を屡々参照しながらより完全な詳細が記述されるであろう。
扨これらの図面に立返ると、図１は本発明に従って改良された工業用布１０の透視図である。工業用布１０はエンドレスループの形で示されており、その形はその特定の用途で使用され、又内側表面１２と外側表面１４を有している。それはエンドレスの形で生産されるか又は織られるか、又はそれが意図されている機械に据付ける間に継目１８によりエンドレスの形に連結することが可能な形で生産されてもよい。そうしたものとして、工業用布１０は、布１０をエンドレスの形に連結するためにその二つの縁に沿って多数の継ぎ合せループを有している布を産出する修正エンドレス織により生産されてもよい。
【００１３】
代表的には、工業用布１０は縦糸と横糸から織られた構造であり、それが本発明の範囲内に入るには織られる必要はなく、不織構造であってもよい。当業者にはよく知られているように、縦糸はエンドレス又は修正エンドレス織によって生産された布１０の機械に直交する方向（ＣＤ）に横たわるが、一方もし布１０が平織ならば機械方向（１０）に横たわる。他方、横糸はエンドレス又は修正エンドレス織により生産された布１０の機械方向（ＭＤ）に横たわるが、平織布では機械に直交する方向（ＣＤ）である。
【００１４】
布が使用されるつもりである機械上の方位付けに関して糸を参照すると、少なくともＭＤ糸の一部及び／又は少なくともＣＤ糸の一部は図２と３で示された種類の鞘／芯糸である。
【実施例】
【００１５】
図２は鞘／芯糸２０の側面図であり、又図３はそれの断面図である。最もはっきりと図３で示されるように、鞘／芯糸２０は芯糸２２を含んでいる。
【００１６】
図３では単繊維として描かれているけれども、芯糸２２は単繊維、撚られた／ねじれた単繊維、多繊維、撚られた多繊維、より合わせた又は編まれた糸であってもよい。芯糸２２が単繊維である場合、それは円形又は非円形断面のものであってもよく、後者は卵形、楕円形、正方形、矩形及び浅裂のある断面を含んでいる。芯糸２２は例えば、ポリアミド、ポリエステル、ポリエーテルケトン、ポリプロピレン、ポリアラミド、ポリオレフィン及びポリエチレンテレフタレート（ＰＥＴ）樹脂のような、工業用布に使用される糸を生産するため当業者によって普通に使用されるどんな重合体樹脂材料からでも押出成型されるか、又は違った方法で生産される。そうして得られた繊維は織物工業又特に工業用布工業で周知の技術に従って芯糸２２の中に組込まれる。
【００１７】
芯糸２２は鞘２４によって取囲まれているか又は被覆されている。鞘２４は上述の重合体樹脂材料の何れの塗膜であってもよい。芯糸２２が単繊維である場合、コーティングは鞘２４を形成するのにクロスヘッド押出によって塗布されてもよい。鞘２４は又芯糸２２の周りに上述の重合体樹脂材料の一つのフィルム又は繊維を巻付けることにより生産されてもよい。芯糸２２と鞘２４は同一か又は違った重合体樹脂材料から構成されてもよい。
【００１８】
本発明に従って、鞘２４と芯糸２２は肉眼によって互いに視覚的に識別可能であるから、鞘／芯糸２０は抄紙機に布の摩耗を監視する手段を与える。なるべくなら、鞘２４と芯糸２２は二つの異なった対照的色彩が良い、そうすると摩耗は工業用布１０の表面が鞘２４がそれの内部の芯糸２２をむき出しにするまですり減らされた地点まで摩滅された時にはっきりと明らかになるであろう。例えば、芯糸２２が鮮明な色であって、一方鞘２４は二酸化チタンのような白色顔料を含んでいるとすると、それは芯糸２２の色を鞘２４が充分にすり減らされて芯糸２２をむき出しにするまで視界から隠すであろう。代案として、芯糸２２が熱及び／又は水分への暴露により色が変わるような材料から構成され、従って、いったん工業用布１０の表面が芯糸２２をむき出しにするまで充分にすり減らされるならば、それは視覚的に色が変化して摩耗を指示するであろう。フェノールフタレイン又はリトマスのような、当業者に知られているｐＨ指示染料がこの目的に使用されてもよい。尚代案として、芯糸２２は鞘２４が充分にすり減らされた時に、紫外光源への暴露によって容易に見えるように成るであろうＵＶ感光染料を含んでもよい。
【００１９】
代表的には、工業用布１０の表面上の節が最も摩耗を受け易い、何故ならばそれらは布の一方向への糸が他の方向への糸の上を通り抜けるか又は交叉して、又それ故に布の表面上の盛り上がった点である場所を形成しているからである。例えば、図４は機械方向にとられた、未使用の工業用布１０の断面図である。鞘／芯糸２０であるＭＤ糸３０は、同じく鞘／芯糸２０でもある、ＣＤ糸と平織で織られているように描かれている。節３４は摩耗のために最も暴露される地点である。
【００２０】
布１０が或期間使用された後では、工業用布１０の同じ断面図は図５で示されたように見えて来るであろう。ＭＤ糸３０の鞘２４は芯糸２２がむき出しで見える地点まですり減らされて示されている。例えば、鞘２４のそれと比較してその色の違いのお陰で、芯糸２２は布１０の摩耗の程度を示す。
【産業上の利用可能性】
【００２１】
本発明は抄紙機の織物、即ち、抄紙機によって使用される形成、プレス及び乾燥機布、同様に通気乾燥（ＴＡＤ）ベルト、長尺ニッププレスベルト、艶出し機ベルト及び転送ベルトのような、製紙工業で使用されるその他のベルトでの使用に適用できる。然し、本発明は、パルプの洗滌、スラッジの脱水、及び不織布の製造におけるような、織布が使用されている所以外の多くの工業での使用にも適用できる。それは又パルプ工業で使用される二重ニップ濃縮機（ＤＮＴ）ベルトに使用されてもよい。
【００２２】
上記に対する修正は当業者には明白であろう、然し付属請求項の範囲を越えて修正された発明をもたらすことはないであろう。
【図面の簡単な説明】
【００２３】
【図１】工業用布の透視図；
【図２】鞘／芯糸の側面図；
【図３】図２の３−３線により指示されたようにとられた断面図；
【図４】未使用の工業用布の機械方向にとられた断面図；及び
【図５】摩耗した工業用布の、図４で与えられたそれに類似の、断面図。
【符号の説明】
【００２４】
１０  工業用布
１２  内側表面
１４  外側表面
１８  エンドレスの形に連結する布の継目
２０  鞘／芯糸
２２  芯糸
２４  鞘
３０  ＭＤ糸
３２  ＣＤ糸
３４  節
【図１】
2005530050.tif 000003
【図２】
2005530050.tif 000004
【図３】
2005530050.tif 000005
【図４】
2005530050.tif 000006
【図５】
2005530050.tif 000007
【国際調査報告】
2005530050.tif 000008
2005530050.tif 000009